(57)【要約】【課題】被験者の離床行動を迅速に検出できるベッドの在床状況監視システムを提供すること。【解決手段】監視システム30Aは、被験者の重心位置を演算する重心位置演算手段11bと、重心位置がベッド寝床部21の周縁部22から中央部23に移動した場合に、ベッド寝床部21の周縁部22と中央部23との間に設定された複数のゲート25、25、25、25のうち重心位置が横切ったゲート25を、入床ゲートとして記憶する入床ゲート記憶手段12cと、重心位置がベッド寝床部21の中央部23から周縁部22に移動した場合に、複数のゲート25、25、25、25のうち重心位置が横切ったゲート25を、離床ゲートとして、入床ゲートと比較し、離床ゲートが入床ゲートと同じか否かを判定するゲート判定手段13aと、ゲート判定手段13aの判定結果に基づいて被験者Ｈの離床に関する情報を報知する報知手段15と、を備えている。【選択図】図２
2011189137.tif 000002
【特許請求の範囲】
【請求項１】
ベッド寝床部の頭側左端部、頭側右端部、足側左端部及び足側右端部にそれぞれ掛かる荷重を検出する４個の荷重検出手段と、
前記４個の荷重検出手段の出力荷重に基づいてベッド寝床部上の被験者の重心位置を演算する重心位置演算手段と、
前記重心位置演算手段で演算された重心位置を記憶する重心位置記憶手段と、
前記重心位置演算手段で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入手ゲートとして記憶する入床ゲート記憶手段と、
前記重心位置演算手段で演算された重心位置が、ベッド寝床部における前記在床領域から前記複数の乗降領域のうちいずれか一つの乗降領域に移動した場合に、前記複数のゲートのうち重心位置が横切ったゲートを、被験者が離床する際に重心位置が横切った離床ゲートとして、前記入床ゲート記憶手段で記憶された入床ゲートと比較し、離床ゲートが入床ゲートと同じか否かを判定するゲート判定手段と、
前記ゲート判定手段の判定結果に基づいて被験者の離床に関する情報を報知する報知手段と、を備えていることを特徴とするベッドの在床状況監視システム。
【発明の詳細な説明】
【技術分野】
【０００１】
本発明は、例えば、ベッドの寝床部上の被験者の離床、入床、重心位置等の在床状況を検出するベッドの在床状況検出方法に関する。
【背景技術】
【０００２】
ベッドの寝床部上に在床している病人、高齢者、被介護者、乳幼児等の被験者の離床、入床（着床）、重心位置等の在床状況を検出するための方法として、次のようなものが知られている。
【０００３】
すなわち、ベッド寝床部の頭側左端部、頭側右端部、足側左端部及び足側右端部にそれぞれ掛かる荷重として、ベッドの４個の脚部に掛かる荷重を荷重検出器により検出する。そして、これらの荷重検出器の出力荷重に基づいてベッド寝床部上の被験者の重心位置を検出する。そして、この重心位置に基づいて被験者のベッド寝床部上での移動距離、運動速度、運動回数等を演算し、その演算結果に基づいて被験者の在床状況を検出する方法である（例えば、特許文献１及び２参照）。
【０００４】
また、特開２０００−１０５８８４号公報には、ベッドの各脚部に掛かる荷重を検出する荷重検出器からの荷重検出用出力電圧に基づいて被験者の入床や離床を検出する方法が開示されている（特許文献３参照）。
【先行技術文献】
【特許文献】
【０００５】
【特許文献１】特許第３０９８９９７号公報
【特許文献２】特許第３５２９３３２号公報
【特許文献３】特開２０００−１０５８８４号公報
【発明の概要】
【発明が解決しようとする課題】
【０００６】
ところで、ベッド寝床部上の被験者が離床したことを介護者等に対して報知することは、被験者を介護する上で重要である。また、被験者が離床したときにその介護を早く行うためには、被験者の離床行動を出来る限り迅速に検出する必要がある。
【０００７】
本発明は、上述した技術背景に鑑みてされたもので、その目的は、被験者の離床行動を迅速に検出できるベッドの在床状況検出方法、該検出方法に用いられるベッドの在床状況検出装置、及び前記検出装置を用いたベッドの在床状況監視システムを提供することにある。
【課題を解決するための手段】
【０００８】
本発明は以下の手段を提供する。
【０００９】
［１］  ベッド寝床部の頭側左端部、頭側右端部、足側左端部及び足側右端部にそれぞれ掛かる荷重を、前記各端部に対応する４個の荷重検出手段により検出する荷重検出工程と、
前記４個の荷重検出手段の出力荷重に基づいてベッド寝床部上の被験者の重心位置を演算する重心位置演算工程と、
前記重心位置演算工程で演算された重心位置を記憶する重心位置記憶工程と、
前記重心位置演算工程で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入床ゲートとして記憶する入床ゲート記憶工程と、
前記重心位置演算工程で演算された重心位置が、ベッド寝床部における前記在床領域から前記複数の乗降領域のうちいずれか一つの乗降領域に移動した場合に、前記複数のゲートのうち重心位置が横切ったゲートを、被験者が離床する際に重心位置が横切った離床ゲートとして、前記入床ゲート記憶工程で記憶された入床ゲートと比較し、離床ゲートが入床ゲートと同じか否かを判定するゲート判定工程と、
前記ゲート判定工程の判定結果に基づいて被験者の離床に関する情報を報知する報知工程と、を備えていることを特徴とするベッドの在床状況検出方法。
【００１０】
［２］  被験者の離床に関する情報を送信する通信工程を備えている前項１記載のベッドの在床状況検出方法。
【００１１】
［３］  ベッド寝床部の頭側左端部、頭側右端部、足側左端部及び足側右端部にそれぞれ掛かる荷重を、前記各端部に対応する４個の荷重検出手段により検出する荷重検出工程と、
前記４個の荷重検出手段の出力荷重に基づいてベッド寝床部上の被験者の重心位置を演算する重心位置演算工程と、
前記重心位置演算工程で演算された重心位置を記憶する重心位置記憶工程と、
前記重心位置演算工程で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入床ゲートとして記憶する入床ゲート記憶工程と、
前記重心位置演算工程で演算された重心位置がベッド寝床部の前記在床領域内にある場合に、重心位置の所定時間内の移動範囲が所定の半径の円領域内にあるか否かにより、被験者が在床したか否かを判定する在床判定工程と、
前記在床判定工程の判定結果において被験者が在床したと判定された場合に、前記４個の荷重検出手段の合計出力荷重を、ベッド寝床部上に被験者が在床した状態の荷重として記憶する在床荷重記憶工程と、
前記在床判定工程の判定結果において被験者が在床したと判定された場合に、前記４個の荷重検出手段のうちベッド寝床部の頭側左端部及び頭側右端部にそれぞれ掛かる荷重を検出する２個の荷重検出手段の合計出力荷重の時間変化を演算する荷重変化演算工程と、
前記荷重変化演算工程で演算された合計出力荷重の時間変化が所定の閾値以下であるか否かを判定する第１判定工程と、
前記第１判定工程の判定結果において合計出力荷重の時間変化が前記閾値以下であると判定された場合に、前記重心位置演算工程で演算された重心位置がベッド寝床部の前記在床領域内にあるか否かを判定する第２判定工程と、
前記第２判定工程の判定結果において重心位置が前記在床領域内にないと判定された場合に、前記重心位置演算工程で演算された重心位置が、ベッド寝床部における前記在床領域から前記複数の乗降領域のうちいずれか一つの乗降領域に移動した際に、前記複数のゲートのうち重心位置が横切ったゲートを、被験者が離床する際に重心位置が横切った離床ゲートとして、前記入床ゲート記憶工程で記憶された入床ゲートと比較し、離床ゲートが入床ゲートと同じか否かを判定するゲート判定工程と、
前記ゲート判定工程の判定結果に基づいて被験者の離床に関する情報を報知する報知工程と、を備えていることを特徴とするベッドの在床状況検出方法。
【００１２】
［４］  前記ゲート判定工程の判定結果において離床ゲートが入床ゲートと同じであると判定された場合に、被験者が離床行動を開始したとしてその旨を、被験者の離床に関する情報として前記報知工程で報知する前項５記載のベッドの在床状況検出方法。
【００１３】
［５］  前記ゲート判定工程の判定結果において離床ゲートが入床ゲートと違うと判定された場合に、前記４個の荷重検出手段の現在の合計出力荷重が、前記在床荷重記憶工程で記憶された在床荷重に対して所定の割合以下であるか否かを判定する第３判定工程を備え、
前記第３判定工程の判定結果において在床荷重が前記所定割合以下であると判定された場合に、被験者が離床行動中であるとしてその旨を、被験者の離床に関する情報として前記報知工程で報知する前項３又は４記載のベッドの在床状況検出方法。
【００１４】
［６］  被験者の離床に関する情報を送信する通信工程を備えている前項３〜５のいずれか１項記載のベッドの在床状況検出方法。
【００１５】
［７］  ベッド寝床部の頭側左端部、頭側右端部、足側左端部及び足側右端部にそれぞれ掛かる荷重を、前記各端部に対応する４個の荷重検出手段により検出する荷重検出工程と、
前記４個の荷重検出手段の出力荷重に基づいてベッド寝床部上の被験者の重心位置を演算する重心位置演算工程と、
前記重心位置演算工程で演算された重心位置を記憶する重心位置記憶工程と、
前記重心位置演算工程で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入床ゲートとして記憶する入床ゲート記憶工程と、
前記重心位置演算工程で演算された重心位置がベッド寝床部の前記在床領域内にある場合に、重心位置の所定時間内の移動範囲が所定の半径の円領域内にあるか否かにより、被験者が在床したか否かを判定する在床判定工程と、
前記在床判定工程の判定結果において被験者が在床したと判定された場合に、前記４個の荷重検出手段の合計出力荷重を、ベッド寝床部上に被験者が在床した状態の荷重として記憶する在床荷重記憶工程と、
前記在床判定工程の判定結果において被験者が在床したと判定された場合に、前記重心位置演算工程で演算された重心位置がベッド寝床部の前記在床領域内にあるか否かを判定する第１判定工程と、
前記第１判定工程の判定結果において重心位置が前記在床領域内にないと判定された場合に、前記重心位置演算工程で演算された重心位置が、ベッド寝床部における前記在床領域から前記複数の乗降領域のうちいずれか一つの乗降領域に移動した際に、前記複数のゲートのうち重心位置が横切ったゲートを、被験者が離床する際に重心位置が横切った離床ゲートとして、前記入床ゲート記憶工程で記憶された入床ゲートと比較し、離床ゲートが入床ゲートと同じか否かを判定するゲート判定工程と、
前記ゲート判定工程の判定結果に基づいて被験者の離床に関する情報を報知する報知工程と、を備えていることを特徴とするベッドの在床状況検出方法。
【００１６】
［８］  前記ゲート判定工程の判定結果において離床ゲートが入床ゲートと同じであると判定された場合に、前記４個の荷重検出手段のうちベッド寝床部の頭側左端部及び頭側右端部にそれぞれ掛かる荷重を検出する２個の荷重検出手段の合計出力荷重の時間変化を演算する荷重変化演算工程と、
前記荷重変化演算工程で演算された合計出力荷重の時間変化が所定の閾値以下であるか否かを判定する第２判定工程と、を備え、
前記第２判定工程の判定結果において合計出力荷重の時間変化が前記閾値以下であると判定された場合に、被験者が離床行動を開始したとしてその旨を、被験者の離床に関する情報として前記報知工程で報知する前項７記載のベッドの在床状況検出方法。
【００１７】
［９］  前記ゲート判定工程の判定結果において離床ゲートが入床ゲートと違うと判定された場合に、前記４個の荷重検出手段の現在の合計出力荷重が、前記在床荷重記憶工程で記憶された在床荷重に対して所定の割合以下であるか否かを判定する第３判定工程を備え、
前記第３判定工程の判定結果において在床荷重が前記所定割合以下であると判定された場合に、被験者が離床行動中であるとしてその旨を、被験者の離床に関する情報として前記報知工程で報知する前項７又は８記載のベッドの在床状況検出方法。
【００１８】
［１０］  被験者の離床に関する情報を送信する通信工程を備えている前項７〜９のいずれか１項記載のベッドの在床状況検出方法。
【００１９】
［１１］  ベッド寝床部の頭側左端部、頭側右端部、足側左端部及び足側右端部にそれぞれ掛かる荷重を検出する４個の荷重検出手段と、
前記４個の荷重検出手段の出力荷重に基づいてベッド寝床部上の被験者の重心位置を演算する重心位置演算手段と、
前記重心位置演算手段で演算された重心位置を記憶する重心位置記憶手段と、
前記重心位置演算手段で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入手ゲートとして記憶する入床ゲート記憶手段と、
前記重心位置演算手段で演算された重心位置が、ベッド寝床部における前記在床領域から前記複数の乗降領域のうちいずれか一つの乗降領域に移動した場合に、前記複数のゲートのうち重心位置が横切ったゲートを、被験者が離床する際に重心位置が横切った離床ゲートとして、前記入床ゲート記憶手段で記憶された入床ゲートと比較し、離床ゲートが入床ゲートと同じか否かを判定するゲート判定手段と、
前記ゲート判定手段の判定結果に基づいて被験者の離床に関する情報を報知する報知手段と、を備えていることを特徴とするベッドの在床状況検出装置。
【００２０】
［１２］  被験者の離床に関する情報を送信する通信手段を備えている前項１１記載のベッドの在床状況検出装置。
【００２１】
［１３］  ベッド寝床部の頭側左端部、頭側右端部、足側左端部及び足側右端部にそれぞれ掛かる荷重を検出する４個の荷重検出手段と、
前記４個の荷重検出手段の出力荷重に基づいてベッド寝床部上の被験者の重心位置を演算する重心位置演算手段と、
前記重心位置演算手段で演算された重心位置を記憶する重心位置記憶手段と、
前記重心位置演算手段で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入床ゲートとして記憶する入床ゲート記憶手段と、
前記重心位置演算手段で演算された重心位置がベッド寝床部の前記在床領域内にある場合に、重心位置の所定時間内の移動範囲が所定の半径の円領域内にあるか否かにより、被験者が在床したか否かを判定する在床判定手段と、
前記在床判定手段の判定結果において被験者が在床したと判定された場合に、前記４個の荷重検出手段の合計出力荷重を、ベッド寝床部上に被験者が在床した状態の荷重として記憶する在床荷重記憶手段と、
前記在床判定手段の判定結果において被験者が在床したと判定された場合に、前記４個の荷重検出手段のうちベッド寝床部の頭側左端部及び頭側右端部にそれぞれ掛かる荷重を検出する２個の荷重検出手段の合計出力荷重の時間変化を演算する荷重変化演算手段と、
前記荷重変化演算手段で演算された合計出力荷重の時間変化が所定の閾値以下であるか否かを判定する第１判定手段と、
前記第１判定手段の判定結果において合計出力荷重の時間変化が前記閾値以下であると判定された場合に、前記重心位置演算手段で演算された重心位置がベッド寝床部の前記在床領域内にあるか否かを判定する第２判定手段と、
前記第２判定手段の判定結果において重心位置が前記在床領域内にないと判定された場合に、前記重心位置演算手段で演算された重心位置が、ベッド寝床部における前記在床領域から前記複数の乗降領域のうちいずれか一つの乗降領域に移動した際に、前記複数のゲートのうち重心位置が横切ったゲートを、被験者が離床する際に重心位置が横切った離床ゲートとして、前記入床ゲート記憶手段で記憶された入床ゲートと比較し、離床ゲートが入床ゲートと同じか否かを判定するゲート判定手段と、
前記ゲート判定手段の判定結果に基づいて被験者の離床に関する情報を報知する報知手段と、を備えていることを特徴とするベッドの在床状況検出装置。
【００２２】
［１４］  前記ゲート判定手段の判定結果において離床ゲートが入床ゲートと同じであると判定された場合に、被験者が離床行動を開始したとしてその旨を、被験者の離床に関する情報として前記報知手段で報知するように構成されている前項１３記載のベッドの在床状況検出装置。
【００２３】
［１５］  前記ゲート判定手段の判定結果において離床ゲートが入床ゲートと違うと判定された場合に、前記４個の荷重検出手段の現在の合計出力荷重が、前記在床荷重記憶手段で記憶された在床荷重に対して所定の割合以下であるか否かを判定する第３判定手段を備え、
前記第３判定手段の判定結果において在床荷重が前記所定割合以下であると判定された場合に、被験者が離床行動中であるとしてその旨を、被験者の離床に関する情報として前記報知手段で報知するように構成されている前項１３又は１４記載のベッドの在床状況検出装置。
【００２４】
［１６］  被験者の離床に関する情報を送信する通信手段を備えている前項１３〜１５のいずれか１項記載のベッドの在床状況検出装置。
【００２５】
［１７］  ベッド寝床部の頭側左端部、頭側右端部、足側左端部及び足側右端部にそれぞれ掛かる荷重を検出する４個の荷重検出手段と、
前記４個の荷重検出手段の出力荷重に基づいてベッド寝床部上の被験者の重心位置を演算する重心位置演算手段と、
前記重心位置演算手段で演算された重心位置を記憶する重心位置記憶手段と、
前記重心位置演算手段で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入床ゲートとして記憶する入床ゲート記憶手段と、
前記重心位置演算手段で演算された重心位置がベッド寝床部の前記在床領域内にある場合に、重心位置の所定時間内の移動範囲が所定の半径の円領域内にあるか否かにより、被験者が在床したか否かを判定する在床判定手段と、
前記在床判定手段の判定結果において被験者が在床したと判定された場合に、前記４個の荷重検出手段の合計出力荷重を、ベッド寝床部上に被験者が在床した状態の荷重として記憶する在床荷重記憶手段と、
前記在床判定手段の判定結果において被験者が在床したと判定された場合に、前記重心位置演算手段で演算された重心位置がベッド寝床部の前記在床領域内にあるか否かを判定する第１判定手段と、
前記第１判定手段の判定結果において重心位置が前記在床領域内にないと判定された場合に、前記重心位置演算手段で演算された重心位置が、ベッド寝床部における前記在床領域から前記複数の乗降領域のうちいずれか一つの乗降領域に移動した際に、前記複数のゲートのうち重心位置が横切ったゲートを、被験者が離床する際に重心位置が横切った離床ゲートとして、前記入床ゲート記憶手段で記憶された入床ゲートと比較し、離床ゲートが入床ゲートと同じか否かを判定するゲート判定手段と、
前記ゲート判定手段の判定結果に基づいて被験者の離床に関する情報を報知する報知手段と、を備えていることを特徴とするベッドの在床状況検出装置。
【００２６】
［１８］  前記ゲート判定手段の判定結果において離床ゲートが入床ゲートと同じであると判定された場合に、前記４個の荷重検出手段のうちベッド寝床部の頭側左端部及び頭側右端部にそれぞれ掛かる荷重を検出する２個の荷重検出手段の合計出力荷重の時間変化を演算する荷重変化演算手段と、
前記荷重変化演算手段で演算された合計出力荷重の時間変化が所定の閾値以下であるか否かを判定する第２判定手段と、を備え、
前記第２判定手段の判定結果において合計出力荷重の時間変化が前記閾値以下であると判定された場合に、被験者が離床行動を開始したとしてその旨を、被験者の離床に関する情報として前記報知手段で報知するように構成されている前項１７記載のベッドの在床状況検出装置。
【００２７】
［１９］  前記ゲート判定手段の判定結果において離床ゲートが入床ゲートと違うと判定された場合に、前記４個の荷重検出手段の現在の合計出力荷重が、前記在床荷重記憶手段で記憶された在床荷重に対して所定の割合以下であるか否かを判定する第３判定手段を備え、
前記第３判定手段の判定結果において在床荷重が前記所定割合以下であると判定された場合に、被験者が離床行動中であるとしてその旨を、被験者の離床に関する情報として前記報知手段で報知するように構成されている前項１７又は１８記載のベッドの在床状況検出装置。
【００２８】
［２０］  被験者の離床に関する情報を送信する通信手段を備えている前項１７〜１９のいずれか１項記載のベッドの在床状況検出装置。
【００２９】
［２１］  ベッド寝床部の頭側左端部、頭側右端部、足側左端部及び足側右端部にそれぞれ掛かる荷重を検出する４個の荷重検出手段と、
前記４個の荷重検出手段の出力荷重に基づいてベッド寝床部上の被験者の重心位置を演算する重心位置演算手段と、
前記重心位置演算手段で演算された重心位置を記憶する重心位置記憶手段と、
前記重心位置演算手段で演算された重心位置が、ベッド寝床部の周縁部の複数の乗降領域のうちいずれか一つの乗降領域からベッド寝床部の中央部の在床領域に移動した場合に、ベッド寝床部における前記複数の乗降領域と前記在床領域との間に設定された複数のゲートのうち重心位置が横切ったゲートを、被験者が入床する際に重心位置が横切った入手ゲートとして記憶する入床ゲート記憶手段と、
前記重心位置演算手段で演算された重心位置が、ベッド寝床部における前記在床領域から前記複数の乗降領域のうちいずれか一つの乗降領域に移動した場合に、前記複数のゲートのうち重心位置が横切ったゲートを、被験者が離床する際に重心位置が横切った離床ゲートとして、前記入床ゲート記憶手段で記憶された入床ゲートと比較し、離床ゲートが入床ゲートと同じか否かを判定するゲート判定手段と、
前記ゲート判定手段の判定結果に基づいて被験者の離床に関する情報を報知する報知手段と、を備えていることを特徴とするベッドの在床状況監視システム。
【００３０】
［２２］
被験者の離床に関する情報を送信する通信手段を備えている前項２１記載のベッドの在床状況監視システム。
【発明の効果】
【００３１】
［１］の発明は次の効果を奏する。すなわち、一般に、病院や介護施設等では、被介護者等の被験者が就寝するときには、スリッパや靴等の履き物を脱いでからベッド寝床部上に入床したり、車椅子から降りてからベッド寝床部上に入床している。そして、被験者が離床する場合、被験者は、ベッド寝床部上の、履き物や車椅子がおいてある側から離床するのが通常である。すなわち、ベッド寝床部の入床位置と離床位置とが同じであることが多い。この事実に基づいて本発明者は本発明を完成させた。
【００３２】
すなわち、［１］の発明によれば、ゲート判定工程では、被験者が離床する際に重心位置が横切った離床ゲートを入床ゲートと比較し、離床ゲートが入床ゲートと同じか否かを判定する。そして、報知工程では、ゲート判定工程の判定結果に基づいて被験者の離床に関する情報を介護者や監視者等に対して報知する。これにより、被験者の離床行動を迅速に検出できる。すなわち、報知工程では、ゲート判定工程の判定結果において離床ゲートが入床ゲートと同じであると判定された場合には、例えば、被験者が離床行動を開始したとしてその旨を報知する。こうすることにより、被験者が離床行動を開始した直後にその旨を報知することができる。
【００３３】
［２］の発明では、被験者の離床に関する情報を遠隔地や携帯電話等に送信することができ、もって、遠隔地にいる人や携帯電話の所有者に対して被験者の離床に関する情報を知らせることができる。
【００３４】
［３］の発明は、上記［１］の発明の工程に加えて、更に、在床判定工程と、在床荷重記憶工程と、荷重変化演算工程と、第１判定工程と、第２判定工程とを備えている。したがって、［３］の発明は、上記［１］の発明の効果に加えて更に次の効果を奏する。
【００３５】
すなわち、在床判定工程では、被験者が在床したか否かを判定する。
【００３６】
次いで、在床荷重記憶工程では、在床判定工程の判定結果において被験者が在床したと判定された場合に、ベッド寝床部上に被験者が在床した状態の荷重、すなわち在床荷重を記憶する。
【００３７】
また、荷重変化演算工程と第１判定工程では、在床判定工程の判定結果において被験者が在床したと判定された場合に、４個の荷重検出手段のうちベッド寝床部の頭側左端部及び頭側右端部にそれぞれ掛かる荷重を検出する２個の荷重検出手段の合計出力荷重の時間変化が所定の閾値以下であるか否かを判定する。これにより、ベッド寝床部の在床領域において被験者が上体を起こしたか否かを判定できる。
【００３８】
そして、第２判定工程では、第１判定工程の判定結果において合計出力荷重の時間変化が所定の閾値以下であると判定された場合、すなわちベッド寝床部の在床領域において被験者が上体を起こしたと判定された場合に、重心位置がベッド寝床部の在床領域内にあるか否かを判定する。
【００３９】
次いで、ゲート判定工程では、第２判定工程の判定結果において重心位置が在床領域内にないと判定された場合に、重心位置が横切った離床ゲートが入床ゲートと同じか否かを判定する。
【００４０】
そして、報知工程では、ゲート判定工程の判定結果に基づいて被験者の離床に関する情報を介護者や監視者等に対して報知する。
【００４１】
この報知は、まず被験者が在床したことを判定し、次いでベッド寝床部の在床領域において被験者が上体を起こしたことを判定した後で、行われるので、被験者の離床に関する情報を正確に報知することができる。
【００４２】
［４］の発明によれば、報知工程では、ゲート判定工程の判定結果において離床ゲートが入床ゲートを同じであると判定された場合に、被験者が離床行動を開始したとしてその旨を報知する。これにより、被験者が離床行動を開始した直後にその旨を報知することができる。
【００４３】
［５］の発明によれば、第３判定工程では、ゲート判定工程の判定結果において離床ゲートが入床ゲートと違うと判定された場合に、４個の荷重検出手段の現在の合計出力荷重が在床荷重に対して所定の割合以下であるか否かを判定する。これにより、例えば、被験者がベッド設置面上に足を着いたか否かを判定できる。
【００４４】
そして、報知工程では、第３判定工程の判定結果において在床荷重が所定割合以下であると判定された場合、すなわち、例えば、被験者がベッド設置面上に足を着いたと判定された場合に、被験者が離床行動中であるとしてその旨を報知する。これにより、被験者が離床する際に被験者が入床ゲートと違うゲートを横切った場合であっても、被験者の離床行動中に報知することができる。
【００４５】
さらに、この報知は、４個の荷重検出手段の現在の合計出力荷重が在床荷重に対して所定の割合以下であると判定された場合、すなわち、例えば、被験者がベッド設置面上に足を着いたと判定された場合に、行われるので、被験者が離床行動中である旨を正確に報知することができる。
【００４６】
［６］の発明では、被験者の離床に関する情報を遠隔地や携帯電話等に送信することができ、もって、遠隔地にいる人や携帯電話の所有者に対して被験者の離床に関する情報を知らせることができる。
【００４７】
［７］の発明では、上記［１］の発明の工程に加えて、更に、在床判定工程と、在床荷重記憶工程と、第１判定工程とを備えている。したがって、［７］の発明は、上記［１］の発明の効果に加えて更に次の効果を奏する。
【００４８】
すなわち、在床判定工程では、被験者が在床したか否かを判定する。
【００４９】
次いで、在床荷重記憶工程では、在床判定工程の判定結果において被験者が在床したと判定された場合に、ベッド寝床部上に被験者が在床した状態の荷重、すなわち在床荷重を記憶する。
【００５０】
また、第１判定工程では、在床判定工程の判定結果において被験者が在床したと判定された場合に、その後、重心位置が在床領域内にあるか否かを判定する。
【００５１】
次いで、ゲート判定工程では、第１判定工程の判定結果において重心位置が在床領域内にないと判定された場合に、重心位置が横切った離床ゲートが入床ゲートと同じか否かを判定する。
【００５２】
そして、報知工程では、ゲート判定工程の判定結果に基づいて被験者の離床に関する情報を介護者や監視者等に対して報知する。
【００５３】
この報知は、重心位置が在床領域内にないと判定された場合に行われるので、被験者の離床に関する情報を正確に報知することができる。
【００５４】
［８］の発明によれば、荷重変化演算工程と第２判定工程では、ゲート判定工程の判定結果において離床ゲートが入床ゲートと同じであると判定された場合に、４個の荷重検出手段のうちベッド寝床部の頭側左端部及び頭側右端部にそれぞれ掛かる荷重を検出する２個の荷重検出手段の合計出力荷重の時間変化が所定の閾値以下であるか否かを判定する。これにより、ベッド寝床部の乗降領域において被験者が上体を起こしたか否かを判定できる。
【００５５】
そして、報知工程では、第２判定工程の判定結果において合計出力荷重の時間変化が所定の閾値以下であると判定された場合、すなわちベッド寝床部の乗降領域において被験者が上体を起こしたと判定された場合に、被験者が離床行動を開始したとしてその旨を報知する。これにより、被験者が離床行動を開始した直後にその旨を報知することができる。
【００５６】
さらに、この報知は、ベッド寝床部の乗降領域において被験者が上体を起こしたと判定した後で、行われるので、被験者が離床行動を開始した旨を正確に報知することができる。
【００５７】
［９］の発明によれば、第３判定工程では、ゲート判定工程の判定結果において離床ゲートが入床ゲートと違うと判定された場合に、４個の荷重検出手段の現在の合計出力荷重が在床荷重に対して所定割合以下であるか否かを判定する。これにより、例えば、被験者がベッド設置面上に足を着いたか否かを判定できる。
【００５８】
そして、報知工程では、第３判定工程の判定結果において在床荷重が所定割合以下であると判定された場合に、被験者が離床行動中であるとしてその旨を報知する。これにより、被験者が離床する際に被験者が入床ゲートと違うゲートを横切った場合であっても、被験者の離床行動中に報知することができる。
【００５９】
さらに、この報知は、４個の荷重検出段の現在の合計出力荷重が在床荷重に対して所定割合以下であると判定された場合、すなわち、例えば、被験者がベッド設置面上に足を着いたと判定された場合に、行われるので、被験者が離床行動中である旨を正確に報知することができる。
【００６０】
［１０］の発明では、被験者の離床に関する情報を遠隔地や携帯電話等に送信することができ、もって、遠隔地にいる人や携帯電話の所有者に対して被験者の離床に関する情報を知らせることができる。
【００６１】
［１１］〜［２０］の発明では、それぞれ上記［１］〜［１０］の発明に係るベッドの在床状況検出方法に好適に使用可能なベッドの在床状況検出装置を提供できる。
【００６２】
［２１］の発明では、被験者の在床状況を確実に監視することができる。
【００６３】
［２２］の発明では、被験者の在床状況を遠隔地等で監視することができる。
【図面の簡単な説明】
【００６４】
【図１】本発明の第１実施形態に係るベッドの在床状況検出装置を示す概略図である。
【図２】ベッドの寝床部の概略平面図である。
【図３】同検出装置の構成を示すブロック図である。
【図４】同検出装置を用いた在床状況検出方法のフローチャートである。
【図５】図４の続きのフローチャートである。
【図６】図５の続きのフローチャートである。
【図７】本発明の第２実施形態に係るベッドの在床状況検出装置の構成を示すブロック図である。
【図８】同検出装置を用いた在床状況検出方法のフローチャートである。
【図９】図８の続きのフローチャートである。
【発明を実施するための形態】
【００６５】
次に、本発明の幾つかの実施形態について図面を参照して以下に説明する。
【００６６】
まず、本発明の第１実施形態について図１〜図６を参照して以下に説明する。
【００６７】
図１において、（１Ａ）は、本発明の第１実施形態に係るベッドの在床状況検出装置、（２０）はベッドである。
【００６８】
ベッド（２０）は、医療施設（例：病院）、高齢者施設、介護施設、一般家庭等で使用されるものである。このベッド（２０）の寝床部（２１）は、図２に示すように平面視長方形状に形成されている。このベッド（２０）は、病室、検査室、診察室、寝室等の床面等からなるベッド設置面（２９）上に設置されるものである。
【００６９】
ここで本明細書では、説明の便宜上、図１及び図２に示すように、ベッド寝床部（２１）上に被験者（Ｈ）が仰向きで就寝する状態において、被験者（Ｈ）の頭側をベッド寝床部（２１）の頭側、被験者（Ｈ）の足側をベッド寝床部（２１）の足側、被験者（Ｈ）の左側をベッド寝床部（２１）の左側、及び被験者（Ｈ）の右側をベッド寝床部（２１）の右側という。
【００７０】
ベッド（２０）は、図１に示すように、その寝床部（２１）を所定高さ位置に略水平状に支持する４個の脚部、即ち、頭側左脚部（２６）、頭側右脚部（２６）、足側左脚部（２６）及び足側右脚部（２６）を有している。これら４個の脚部（２６、２６、２６、２６）の下端部には、それぞれ、回転自在なベッド移動用キャスタ（２６ａ）が設けられている。なお本発明では、脚部（２６）の下端部に必ずしもキャスタ（２６ａ）は設けられていなくても良い。
【００７１】
このベッド（２０）の寝床部（２１）上には、被験者（Ｈ）として、病人、被介護者、高齢者をはじめ、健康人、乳幼児等が、就寝、休息、療養、診察、検査等のために仰向き姿勢で在床する。なお、病人や被介護者として認知症患者等が具体的に挙げられる。
【００７２】
図２に示すように、このベッド（２０）では、その寝床部（２１）の周縁部の複数の乗降領域（２２）から被験者（Ｈ）が入床及び離床（即ち乗り降り）するものである。本実施形態では、ベッド寝床部（２１）の乗降領域（２２）は、ベッド寝床部（２１）の頭側左縁部の乗降領域（２２）と、足側左縁部の乗降領域（２２）と、頭側右縁部の乗降領域（２２）と、足側右縁部の乗降領域（２２）との合計４つである。
【００７３】
図１に示すように、このベッド（２０）において、ベッド寝床部（２１）の頭側左縁部と頭側右縁部には、それぞれ、被験者（Ｈ）がベッド寝床部（２１）上からベッド設置面（２９）上へ転落するのを防止する転落防止柵（２７）が、取り外し可能に取り付けられている。したがって、被験者（Ｈ）は、ベッド寝床部（２１）の４つの乗降領域（２２、２２、２２、２２）のうち、転落防止柵（２７）が取り付けられていない乗降領域である足側左縁部の乗降領域（２２）か足側右縁部の乗降領域（２２）のいずれかから（図１では、足側左縁部の乗降領域（２２）から）、スリッパや靴等の履き物（２８）を脱いで又は車椅子（図示せず）から降りてベッド寝床部（２１）上に入床するものとなる。したがって、ベッド寝床部（２１）の４つの乗降領域（２２、２２、２２、２２）のうち被験者（Ｈ）が入床した乗降領域（２２）側には、履き物（２８）又は車椅子がおかれている。そして、被験者（Ｈ）が離床する場合、被験者（Ｈ）は、通常は、履き物（２８）や車椅子がおいてある側の乗降領域、即ち入床時の乗降領域（２２）と同じ乗降領域（２２）から離床することとなる。
【００７４】
転落防止柵（２７）は、ベッド寝床部（２１）の頭側左縁部や頭側右縁部から取り外して、足側左縁部や足側右縁部に取り付けることができるように構成されている。したがって、転落防止柵（２７）をベッド寝床部（２１）の足側左縁部や足側右縁部に取り付けた場合には、被験者（Ｈ）は、ベッド寝床部（２１）の４つの乗降領域（２２、２２、２２、２２）のうち頭側左縁部の乗降領域（２２）か頭側右縁部の乗降領域（２２）のいずれかからベッド寝床部（２１）に対して入床及び離床（即ち乗り降り）するものとなる。
【００７５】
また、図２において、（２３）は、ベッド寝床部（２１）の中央部の在床領域である。この在床領域（２３）は、ベッド寝床部（２１）における、就寝時に被験者（Ｈ）の重心位置が存在する領域である。換言すると、被験者（Ｈ）が就寝のためにベッド寝床部（２１）上で在床する場合に、この在床領域（２３）内に被験者（Ｈ）の重心位置が存在する。この在床領域（２３）は、ベッド寝床部（２１）における４つの乗降領域（２２、２２、２２、２２）よりも内側（即ち中央部側）に位置している。具体的には、この在床領域（２３）の左右両端とベッド寝床部（２１）の左右両縁との間隔ｃ1は、それぞれ、例えば２０〜４０ｃｍ（詳述すると３０ｃｍ等）である。また、この在床領域（２３）の頭側及び足側の両端とベッド寝床部（２１）の頭側及び足側の両縁との間隔ｃ2は、それぞれ、例えば２０〜４０ｃｍ（詳述すると３０ｃｍ等）である。
【００７６】
ただし本発明では、ベッド寝床部（２１）における在床領域（２３）の大きさや位置は上記の範囲内であることに限定されるものではない。
【００７７】
なお、ベッド寝床部（２１）における在床領域（２３）の大きさ及び位置は、後述する在床領域記憶手段（１２ｆ）に予め設定記憶されている。
【００７８】
また、（２５）はゲートである。本実施形態ではゲート（２５）の数は４つである。これら４つのゲート（２５、２５、２５、２５）は、いずれも仮想的なものであり、ベッド寝床部（２１）の周縁部と中央部との間に、ベッド寝床部（２１）の周方向に一つずつ並んで設定されている。詳述すると、これら４つのゲート（２５、２５、２５、２５）は、ベッド寝床部（２１）の周縁部の４つの乗降領域（２２、２２、２２、２２）とベッド寝床部（２１）の中央部の在床領域（２３）との間に設定されている。さらに詳述すると、ベッド寝床部（２１）の頭側左縁部の乗降領域（２２）と在床領域（２３）との間に一つのゲート（これを「頭側左ゲート」という）（２５）が、ベッド寝床部（２１）の長手方向中間位置から頭側縁（又はその近傍位置）まで延びて設定されている。また、ベッド寝床部（２１）の頭側右縁部の乗降領域（２２）と在床領域（２３）との間に一つのゲート（これを「頭側右ゲート」という）（２５）が、ベッド寝床部（２１）の長手方向中間位置から頭側縁（又はその近傍位置）まで延びて設定されている。また、ベッド寝床部（２１）の足側左縁部の乗降領域（２２）と在床領域（２３）との間に一つのゲート（これを「足側左ゲート」という）（２５）が、ベッド寝床部（２１）の長手方向中間位置から足側縁（又はその近傍位置）まで延びて設定されている。また、ベッド寝床部（２１）の足側右縁部の乗降領域（２２）と在床領域（２３）との間に一つのゲート（これを「足側右ゲート」という）（２５）が、ベッド寝床部（２１）の長手方向中間位置から足側縁（又はその近傍位置）まで延びて設定されている。
【００７９】
ゲート（２５）は、被験者（Ｈ）の重心位置がベッド寝床部（２１）の周縁部（詳述すると各乗降領域（２２））からベッド寝床部（２１）の中央部（詳述すると在床領域（２３））に移動していく際に、ここよりもベッド寝床部（２１）の中央部側に移動すれば被験者（Ｈ）が就寝のために在床するであろうと推測される境目の位置に設定されている。したがって、ゲート（２５）は「在床ライン」としても表現可能である。
【００８０】
ゲート（２５）の位置について具体的に詳述すると、頭側左ゲート（２５）及び足側左ゲート（２５）は、ベッド寝床部（２１）の左縁から例えば１０〜３０ｃｍ（詳述すると２０ｃｍ等）内側の位置に設定されている。すなわち、図２において、ベッド寝床部（２１）の左縁から頭側左ゲート（２５）及び足側左ゲート（２５）までの距離ｄ1は、例えば１０〜３０（詳述すると２０ｃｍ）である。また、頭側右ゲート（２５）及び足側右ゲート（２５）は、ベッド寝床部（２１）の右縁から例えば１０〜３０ｃｍ（詳述すると２０ｃｍ等）内側の位置に設定されている。すなわち、図２において、ベッド寝床部（２１）の右縁から頭側右ゲート（２５）及び足側右ゲート（２５）までの距離ｄ2は、例えば１０〜３０（詳述すると２０ｃｍ等）である。
【００８１】
ただし本発明では、ゲート（２５）の位置は上記の範囲内であることに限定されるものではない。
【００８２】
なお、ゲート（２５）の位置は、後述するゲート位置記憶手段（１２ａ）に予め設定記憶されている。
【００８３】
また、ベッド寝床部（２１）における各ゲート（２５）の位置よりも外側の領域を、ベッド寝床部（２１）の各乗降領域（２２）としている。
【００８４】
また、ベッド寝床部（２１）の在床領域（２３）は、ベッド寝床部（２１）における各ゲート（２５）の位置よりも内側に位置している。
【００８５】
本実施形態のベッドの在床状況検出装置（１Ａ）は、図１及び図３に示すように、４個の荷重検出手段（２、２、２、２、２）と、制御器（３）と、第１通信手段（４）と、演算器（１０）と、報知手段（１５）と、第２通信手段（１６）とを備えている。
【００８６】
この在床状況検出装置（１Ａ）により検出される被験者（Ｈ）の在床状況としては、被験者（Ｈ）の離床をはじめ、入床、重心位置、体動の激しさ、寝返り、体動の頻度等が挙げられる。
【００８７】
４個の荷重検出手段（２、２、２、２）は、それぞれ、ベッド寝床部（２１）の頭側左端部、頭側右端部、足側左端部及び足側右端部に掛かる荷重を検出するものであり、ロードセル等により構成されている。本実施形態では、ベッド設置面（２９）上に設置された４個の荷重検出手段（２、２、２、２）の荷重検出面上に、それぞれ、ベッド（２０）の対応する脚部（２６）（詳述するとキャスタ（２６ａ））を載置することにより、ベッド寝床部（２１）の頭側左端部、頭側右端部、足側左端部及び足側端部に掛かる荷重が検出されるものとなされている。
【００８８】
各荷重検出手段（２）による１秒間あたりの荷重の検出回数は、２回／秒以上であることが望ましく、特に４／秒以上で１００００回／秒以下に設定されるのが望ましい。ただし本発明では、各荷重検出手段（２）による１秒間あたりの荷重の検出回数は上記の範囲内であることに限定されるものではない。
【００８９】
本実施形態では、各荷重検出手段（２）からは、ベッド寝床部（２１）の各端部に掛かる荷重の大きさに対応した電圧が、出力荷重として出力される。
【００９０】
４個の荷重検出手段（２、２、２、２）の出力荷重としての出力電圧は、無線又は有線で、荷重検出手段の出力電圧を制御する制御器（３）に送信される。
【００９１】
制御器（３）は、図３に示すように、各荷重検出手段（２）の出力電圧を増幅する増幅手段（３ａ）と、該増幅手段（３ａ）で増幅された出力電圧（出力信号）をアナログ信号からデジタル信号に変換するＡ／Ｄ変換手段（３ｂ）とを有している。
【００９２】
第１通信手段（４）は、制御器（３）の出力信号、即ちＡ／Ｄ変換手段（３ｂ）でデジタル変換された信号を、電話回線網、インターネット、有線ＬＡＮ、無線ＬＡＮ等の所定の有線通信網又は無線通信網を介して、様々な演算を行う演算器（１０）に送信するものである。本実施形態では無線通信網を介して演算器（１０）に送信されるように構成されている。なお、図１において（１０ａ）は、演算器（１０）の受信アンテナである。
【００９３】
演算器（１０）は、演算手段（１１）と記憶手段（１２）と判定手段（１３）とを備えており、ＣＰＵ、ＲＯＭ、ＲＡＭその他のメモリ等を有するコンピュータにより構成されている。
【００９４】
演算手段（１１）は、荷重演算手段（１１ａ）と、重心位置演算手段（１１ｂ）と、荷重変化演算手段（１１ｃ）とを備えている。
【００９５】
荷重演算手段（１１ａ）は、各荷重検出手段（２）の出力電圧に基づいて各荷重検出手段（２）の出力荷重を演算するものである。
【００９６】
ここで、ベッド寝床部（２１）の頭側左端部に掛かる荷重を検出する荷重検出手段（２）の出力電圧をＶ1、ベッド寝床部（２１）の頭側右端部に掛かる荷重を検出する荷重検出手段（２）の出力電圧をＶ2、ベッド寝床部（２１）の足側左端部に掛かる荷重を検出する荷重検出手段（２）の出力電圧をＶ3、及びベッド寝床部（２１）の足側右端部に掛かる荷重を検出する荷重検出手段（２）の出力電圧をＶ4とする。また、各荷重検出手段（２）の出力荷重をそれぞれＷ1、Ｗ2、Ｗ3及びＷ4とする。なお、Ｗ1、Ｗ2、Ｗ3及びＷ4は、それぞれベッド（２０）の重量等の風袋が減算された値、即ち風袋処理後の荷重である。
【００９７】
Ｗ1、Ｗ2、Ｗ3及びＷ4は次式（ｉ）〜（iv）で算出（演算）される。
【００９８】
Ｗ1＝ａ1×Ｖ1＋ｂ1 …（ｉ）
Ｗ2＝ａ2×Ｖ2＋ｂ2 …（ii）
Ｗ3＝ａ3×Ｖ3＋ｂ3 …（iii）
Ｗ4＝ａ4×Ｖ4＋ｂ4 …（iv）
だたし、ａ1、ａ2、ａ3及びａ4は、予め設定された０以外の定数である。また、ｂ1、ｂ2、ｂ3及びｂ4は予め設定された定数である。
【００９９】
さらに、この荷重演算手段（１１ａ）は、４個の荷重検出手段（２、２、２、２）の合計出力荷重（即ち、Ｗ1＋Ｗ2＋Ｗ3＋Ｗ4）を演算するとともに、４個の荷重検出手段（２、２、２、２）のうち、ベッド寝床部（２１）の頭側左端部及び頭側右端部にそれぞれ掛かる荷重を検出する２個の荷重検出手段（２、２）の合計出力荷重（即ち、Ｗ1＋Ｗ2）を演算するように構成されている。
【０１００】
重心位置演算手段（１１ｂ）は、４個の荷重検出手段（２、２、２、２）の出力荷重に基づいてベッド寝床部（２１）上の被験者（Ｈ）の重心位置（詳述すると被験者（Ｈ）の体重の重心位置）を演算するものであり、さらに詳述すると、４個の荷重検出手段（２、２、２、２）の出力荷重に基づいてベッド寝床部（２１）上の被験者（Ｈ）の重心位置を時間経過とともに演算するものである。具体的には、重心位置の座標ＧＸ、ＧＹは次式（ｖ）及び（vi）で演算される（図２参照）。
【０１０１】
ＧＸ＝｛（Ｗ1＋Ｗ3）−（Ｗ2＋Ｗ4）｝×ＢＸ／（Ｗ1＋Ｗ2＋Ｗ3＋Ｗ4） …（ｖ）
ＧＹ＝｛（Ｗ1＋Ｗ2）−（Ｗ3＋Ｗ4）｝×ＢＹ／（Ｗ1＋Ｗ2＋Ｗ3＋Ｗ4） …（vi）
ただし、ＢＸはベッド寝床部（２１）の長手方向の長さである。ＢＹはベッド寝床部（２１）の短手方向（即ち幅方向）の長さである。また、重心位置の座標ＧＸ、ＧＹは直交座標であって、その原点Ｏ（０，０）はベッド寝床部（２１）の中央位置である。
【０１０２】
荷重変化演算手段（１１ｃ）は、４個の荷重検出手段（２、２、２、２）のうちベッド寝床部（２１）の頭側左端部及び頭側右端部にそれぞれ掛かる荷重を検出する２個の荷重検出手段（２、２）の合計出力荷重（Ｗ1＋Ｗ2）（これを「頭側荷重」という。）の時間変化を演算するものである。すなわち、荷重変化演算手段（１１ｃ）は、これら２個の荷重検出手段（２、２）の合計出力荷重（Ｗ1＋Ｗ2）に対する、所定時間経過後の合計出力荷重の割合を演算するものである。本実施形態では、荷重変化演算手段（１１ｃ）は、これら２個の荷重検出手段（２、２）の合計出力荷重（Ｗ1＋Ｗ2）に対する、例えば１０秒後の合計出力荷重の割合を演算するものであり、詳述すると、合計出力荷重（Ｗ1＋Ｗ2）をＡとし、例えば１０秒後の合計出力荷重（Ｗ1＋Ｗ2）をＢとするとき、Ｂ／Ａの値を演算するものである。
【０１０３】
記憶手段（１２）は、ゲート位置記憶手段（１２ａ）と、重心位置記憶手段（１２ｂ）と、入床ゲート記憶手段（１２ｃ）と、在床荷重記憶手段（１２ｄ）と、在床重心位置記憶手段（１２ｅ）と、在床領域記憶手段（１２ｆ）と、乗降領域記憶手段（１２ｇ）とを備えている。
【０１０４】
ゲート位置記憶手段（１２ａ）は、ベッド寝床部（２１）における４つのゲート（２５、２５、２５、２５）の位置を予め設定記憶するものである。なお、本実施形態における、このゲート位置記憶手段（１２ａ）に予め設定記憶される４つのゲート（２５、２５、２５、２５）の位置は、上述のとおりである。
【０１０５】
在床領域記憶手段（１２ｆ）は、ベッド寝床部（２１）の中央部の在床領域（２３）の大きさ及び位置を予め設定記憶するものである。なお、本実施形態における、この在床領域記憶手段（１２ｆ）に予め設定記憶される在床領域（２３）の大きさ及び位置は、上述のとおりである。
【０１０６】
乗降領域記憶手段（１２ｇ）は、ベッド寝床部（２１）の周縁部の４つの乗降領域（２２、２２、２２、２２）の位置を予め設定記憶するものである。なお、本実施形態における、この乗降領域記憶手段（１２ｇ）に予め設定記憶される４つの乗降領域（２２、２２、２２、２２）の位置は、上述のとおりである。
【０１０７】
ただし本発明では、ベッド寝床部（２１）の在床領域（２３）は、ベッド寝床部（２１）における各ゲート（２５）の位置よりも内側に位置していることから、ゲート位置記憶手段（１２ａ）に予め設定記憶された各ゲート（２５）の位置に基づいて在床領域（２３）の大きさ及び位置を算出することができる。したがって、演算器（１０）は在床領域記憶手段（１２ｆ）を必ずしも備えていることを要しない。また、ベッド寝床部（２１）の各乗降領域（２２）は、ベッド寝床部（２１）における各ゲート（２５）の位置よりも外側に位置していることから、ゲート位置記憶手段（１２ａ）に予め設定記憶された各ゲート（２５）の位置に基づいて各乗降領域（２２）の位置を算出することができる。したがって、演算器（１０）は乗降領域記憶手段（１２ｇ）を必ずしも備えていることを要しない。
【０１０８】
重心位置記憶手段（１２ｂ）は、重心位置演算手段（１１ｂ）で演算された重心位置（その座標ＧＸ、ＧＹ）を記憶するものであり、詳述すると、重心位置演算手段（１１ｂ）で演算された重心位置（重心位置の座標ＧＸ、ＧＹ）を時間経過とともに記憶するものである。
【０１０９】
入床ゲート記憶手段（１２ｃ）は、重心位置演算手段（１１ｂ）で演算された重心位置がベッド寝床部（２１）の周縁部から中央部に移動した場合に、ベッド寝床部（２１）の周縁部と中央部との間にベッド寝床部（２１）の周方向に一つずつ並んで設定された４つのゲート（２５、２５、２５、２５）のうち重心位置が横切った一つのゲート（２５）を、被験者（Ｈ）が入床する際に重心位置が横切った入床ゲートとして記憶するものである。本実施形態では、ベッド寝床部（２１）の周縁部としての４つの乗降領域（２２、２２、２２、２２）のうちいずれか一つの乗降領域（２２）からベッド寝床部（２１）の中央部としての在床領域（２３）に移動した場合に、ベッド寝床部（２１）における４つのゲート（２５、２５、２５、２５）のうち重心位置が横切ったゲート（２５）を、被験者（Ｈ）が入床する際に重心位置が横切った入床ゲートとして記憶するものである。
【０１１０】
在床荷重記憶手段（１２ｄ）は、後述する在床判定手段（１３ｂ）の判定結果において被験者（Ｈ）が在床したと判定された場合に、４個の荷重検出手段（２、２、２、２）の合計出力荷重（Ｗ1＋Ｗ2＋Ｗ3＋Ｗ4）を、ベッド寝床部（２１）上に被験者（Ｈ）が在床した状態の荷重、すなわち在床荷重として記憶するものである。
【０１１１】
在床重心位置記憶手段（１２ｅ）は、後述する在床判定手段（１３ｂ）の判定結果において被験者（Ｈ）が在床したと判定された場合に、重心位置演算手段（１１ｂ）で演算された重心位置を、ベッド寝床部（２１）上に被験者（Ｈ）が在床した状態の重心位置、すなわち在床重心位置として記憶するものである。
【０１１２】
判定手段（１３）は、ゲート判定手段（１３ａ）と、在床判定手段（１３ｂ）と、第１判定手段（１３ｃ）と、第２判定手段（１３ｄ）と、第３判定手段（１３ｅ）とを備えている。
【０１１３】
ゲート判定手段（１３ａ）は、後述する第２判定手段（１３ｂ）の判定結果において重心位置がベッド寝床部（２１）の在床領域（２３）内にないと判定された場合に、重心位置演算手段（１１ｂ）で演算された重心位置が、ベッド寝床部（２１）の中央部からベッド寝床部（２１）の周縁部に移動した際に、４つのゲート（２５、２５、２５、２５）のうち重心位置が横切ったゲート（２５）を、被験者（Ｈ）が離床する際に重心位置が横切った離床ゲートとして、入床ゲート記憶手段（１２ｃ）で記憶された入床ゲートと比較し、離床ゲートが入床ゲートと同じであるか否かを判定するものである。本実施形態では、重心位置演算手段（１１ｂ）で演算された重心位置が、ベッド寝床部（２１）の中央部としての在床領域（２３）からベッド寝床部（２１）の周縁部としての４つの乗降領域（２２、２２、２２、２２）のうちいずれか一つの乗降領域（２２）に移動した際に、４つのゲート（２５、２５、２５、２５）のうち重心位置が横切ったゲート（２５）を、被験者（Ｈ）が離床する際に重心位置が横切った離床ゲートとして、入床ゲート記憶手段（１２ｃ）で記憶された入床ゲートと比較し、離床ゲートが入床ゲートと同じであるか否かを判定するものである。
【０１１４】
在床判定手段（１３ｂ）は、重心位置演算手段（１１ｂ）で演算された重心位置がベッド寝床部（２１）の在床領域（２３）内にある場合に、重心位置の所定時間内の移動範囲が所定の半径の円領域（円範囲）内にあるか否かにより、被験者（Ｈ）が在床したか否かを判定するものである。本実施形態では、在床判定手段（１３ｂ）は、重心位置の５分間の移動範囲が半径５ｃｍの円領域（円範囲）内にあるか否かにより、被験者（Ｈ）が在床したか否かを判定するものである。そして、重心位置の５分間の移動範囲が半径５ｃｍの円領域内にある場合には、被験者（Ｈ）が在床したと判定し、そうではない場合には、被験者（Ｈ）は在床していないと判定する。
【０１１５】
第１判定手段（１３ｃ）は、荷重変化演算手段（１１ｃ）で演算された合計出力荷重（Ｗ1＋Ｗ2）（頭側荷重）の時間変化が所定の閾値以下であるか否かを判定するものである。本実施形態では、第１判定手段（１３ｃ）は、合計出力荷重（Ｗ1＋Ｗ2）の時間変化が所定の閾値として０．９倍以下であるか否かを判定するものである。詳述すると、第１判定手段（１３ｃ）は、合計出力荷重（Ｗ1＋Ｗ2）に対する、所定時間経過後（例えば１０秒後）の合計出力荷重（Ｗ1＋Ｗ2）の割合が所定の閾値として０．９（即ち９０％）以下であるか否かを判定するものである。なお、この第１判定手段（１３ｃ）で用いられる閾値は、記憶手段（１２）の閾値記憶手段（図示せず）に予め設定記憶されている。
【０１１６】
第２判定手段（１３ｄ）は、第１判定手段（１３ｃ）の判定結果において合計出力荷重（Ｗ1＋Ｗ2）の時間変化が所定の閾値以下であると判定された場合に、重心位置演算手段（１１ｂ）で演算された重心位置がベッド寝床部（２１）の在床領域（２３）内にあるか否かを判定するものである。
【０１１７】
第３判定手段（１３ｅ）は、ゲート判定手段（１３ａ）の判定結果において離床ゲートが入床ゲートと違うと判定された場合に、４個の荷重検出手段（２、２、２、２）の現在（即ち、第３判定手段（１３ｅ）の判定時）の合計出力荷重（Ｗ1＋Ｗ2＋Ｗ3＋Ｗ4）が、在床荷重記憶手段（１２ｄ）で記憶された在床荷重に対して所定の割合以下であるか否かを判定するものである。本実施形態では、第３判定手段（１３ｅ）は、４個の荷重検出手段（２、２、２、２）の現在の合計出力荷重（Ｗ1＋Ｗ2＋Ｗ3＋Ｗ4）が在床荷重に対して、所定の割合として０．９倍以下であるか否かを判定するものである。なお、この第３判定手段（１３ｅ）で用いられる所定割合の値は、記憶手段（１２）の所定の割合記憶手段（図示せず）に予め設定記憶されている。
【０１１８】
報知手段（１５）は、ゲート判定手段（１３ａ）の判定結果に基づいて被験者（Ｈ）の離床に関する情報を看護師、介護者、監視者等に対して報知するものである。この報知手段（１５）は、被験者（Ｈ）の離床に関する情報を音声やブザー音等の音により報知するスピーカ（１５ａ）、被験者（Ｈ）の離床に関する情報を光により報知するランプ（１５ｂ）、被験者（Ｈ）の離床に関する情報を文字等の表示により報知する表示手段（１５ｃ）（例：液晶ディスプレイ、ＣＲＴ）などを有している。この報知手段（１５）は、例えば、ナースセンター、介護者の詰め所、監視室内などに設置されるものである。
【０１１９】
第２通信手段（１６）は、被験者（Ｈ）の離床に関する情報を、電話回線網、インターネット、有線ＬＡＮ、無線ＬＡＮ等の所定の有線通信網又は無線通信網を介して、遠隔地や携帯電話（ＰＨＳを含む。以下同じ）等へ送信するものである。
【０１２０】
次に、本第１実施形態のベッドの在床状況検出装置（１Ａ）を用いた在床状況検出方法について、図４〜図６に示したフローチャートに基づいて以下に説明する。
【０１２１】
まず前準備ステップとして、ベッド寝床部（２１）の４つのゲート（２５、２５、２５、２５）の位置をゲート位置記憶手段（１２ａ）に予め設定記憶させておく［ゲート位置記憶工程］。また、ベッド寝床部（２１）の在床領域（２３）を在床領域記憶手段（１２ｆ）に予め設定記憶させておく［在床領域記憶工程］。また、ベッド寝床部（２１）の４つの乗降領域（２２、２２、２２、２２）を乗降領域記憶手段（１２ｇ）に予め設定記憶させておく［乗降領域記憶工程］。次いで、ステップＳ１へ進む。
【０１２２】
ステップＳ１では、４個の荷重検出手段（２、２、２、２）により、それぞれ、ベッド寝床部（２１）の頭側左端部、頭側右端部、足側左端部及び足側右端部に掛かる荷重を検出し、各荷重検出手段（２、２、２、２）の出力荷重を荷重演算手段（１１ａ）で演算する［荷重検出工程］。さらに、この際に、４個の荷重検出手段（２、２、２、２）の出力荷重を風袋処理する。次いで、ステップＳ２へ進む。
【０１２３】
なお、このステップＳ１において、各荷重検出手段（２）からは、ベッド寝床部（２１）の各端部に掛かる荷重の大きさに対応した電圧が、出力荷重として出力される。そして、４個の荷重検出手段（２、２、２、２）の出力荷重としての出力電圧は、無線又は有線で制御器（３）に送信される。送信された出力電圧は、制御器（３）の増幅手段（３ａ）により増幅され、次いでＡ／Ｄ変換手段（３ｂ）によりアナログ信号からデジタル信号に変換された後、第１通信手段（４）により、電話回線網、インターネット、有線ＬＡＮ、無線ＬＡＮ等の所定の有線通信網又は無線通信網を介して、演算器（１０）に送信される。そして、この送信された信号に基づいて、演算器（１１）の荷重検算手段（１１ａ）により風袋処理後の出力荷重が演算される。
【０１２４】
ステップＳ２では、ベッド寝床部（２１）に所定の荷重以上、例えば５０Ｎ（５ｋｇｆ）以上の荷重が掛かったか否か、すなわち４個の荷重検出手段（２、２、２、２）の合計出力荷重（Ｗ1＋Ｗ2＋Ｗ3＋Ｗ4）が５０Ｎ以上であるか否かを、演算器（１０）に備えられた所定の判定手段（図示せず）で判定する。そして、もし、合計出力荷重が５０Ｎ以上であると判定された場合（「ＹＥＳ」の場合）には、ステップＳ３へ進む。一方、もし、合計出力荷重が５０Ｎ未満であると判定された場合（「ＮＯ」の場合）には、本ステップＳ２に戻る。なおこのステップＳ２では、例えば、被験者（Ｈ）が就寝等をするためにベッド寝床部（２１）上に手等をついたか否かを判定できる。なお、各荷重検出手段（２）の出力荷重は風袋処理後の荷重である。以下同じである。ただし本発明では、上記の所定荷重は５０Ｎであることに限定されるものではなく、様々に設定可能である。
【０１２５】
ステップＳ３では、４個の荷重検出手段（２、２、２、２）の出力荷重に基づいて、ベッド寝床部（２１）上の被験者（Ｈ）の重心位置を重心位置演算手段（１１ｂ）で演算する［重心位置演算工程］。さらに、重心位置演算手段（１１ｂ）で演算された重心位置を重心位置記憶手段（１２ｂ）に記憶する［重心位置記憶工程］。次いで、ステップＳ４へ進む。なお、重心位置の演算は上記式（ｖ）及び（vi）により行われる。
【０１２６】
ステップＳ４では、重心位置演算手段（１１ｂ）で演算された重心位置がベッド寝床部（２１）の中央部としての在床領域（２３）内にあるか否かを、演算器（１０）に備えられた所定の判定手段（図示せず）で判定する。そして、もし、重心位置が在床領域（２３）内にあると判定された場合（「ＹＥＳ」の場合）には、ステップＳ６へ進む。一方、もし重心位置が在床領域（２３）内にないと判定された場合（「ＮＯ」の場合）には、ステップＳ５へ進む。
【０１２７】
ステップＳ５では、重心位置記憶手段（１１ｂ）に重心位置を最初に記憶してから所定時間以上、例えば１時間以上経過したか否かを、演算器（１０）に備えられた所定の判定手段（図示せず）で判定する。そして、もし、重心位置を記憶してから所定時間以上経過したと判定された場合（「ＹＥＳ」の場合）には、ステップＳ１に戻る。一方、重心位置を記憶してから所定時間以上経過していないと判定された場合（「ＮＯ」の場合）には、ステップＳ３に戻る。ただし本発明では、上記の所定時間は１時間であることに限定されるものではなく、様々に設定可能である。
【０１２８】
ステップＳ６では、４個の荷重検出手段（２、２、２、２）の合計出力荷重（Ｗ1＋Ｗ2＋Ｗ3＋Ｗ4）が所定の荷重以上、例えば２００Ｎ（２０ｋｇｆ）以上であるか否かを、演算器（１０）に備えられた所定の判定手段（図示せず）で判定する。そして、もし、合計出力荷重が２００Ｎ以上であると判定された場合（「ＹＥＳ」の場合）には、ステップＳ７へ進む。一方、もし、合計出力荷重が２００Ｎ未満であると判定された場合（「ＮＯ」の場合）には、ステップＳ１へ戻る。ただし本発明では、上記の所定荷重は２００Ｎであることに限定されるものではなく、様々に設定可能である。
【０１２９】
ステップＳ７では、重心位置演算手段（１１ｂ）で演算された重心位置が、ベッド寝床部（２１）の周縁部としての４つの乗降領域（２２、２２、２２、２２）のうちいずれか一つの乗降領域（２２）からベッド寝床部（２１）の中央部としての在床領域（２３）に移動した場合に、ゲート位置記憶手段（１２ａ）に予め設定記憶された４つのゲート（２５、２５、２５、２５）のうち重心位置が横切ったゲート（２５）を、被験者（Ｈ）が入床する際に重心位置が横切った入床ゲートとして入床ゲート記憶手段（１２ｃ）に記憶する［入床ゲート記憶工程］。次いで、ステップＳ８へ進む。
【０１３０】
ステップＳ８では、重心位置演算手段（１１ｂ）で演算された重心位置がベッド寝床部（２１）の在床領域（２３）内にある場合に、重心位置の所定時間内として例えば５分間の移動範囲が、所定の半径の円領域内として例えば半径５ｃｍの円領域内にあるか否かを在床判定手段（１３ｂ）で判定する［在床判定工程］。そして、もし、移動範囲が円領域内にあると判定された場合（「ＹＥＳ」の場合）には、ステップＳ９へ進み、在床と判定（決定）する。次いで、ステップＳ１０へ進む。一方、もし、移動範囲が円領域内にないと判定された場合（「ＮＯ」の場合）には、本ステップＳ８に戻る。ただし本発明では、上記の所定時間は５分間であることに限定されるものではなく、様々に設定可能であり、また、上記の所定半径は５ｃｍであることに限定されるものではなく、様々に設定可能である。
【０１３１】
ステップＳ１０では、４個の荷重検出手段（２、２、２、２）の合計出力荷重（Ｗ1＋Ｗ2＋Ｗ3＋Ｗ4）を、ベッド寝床部（２１）上に被験者（Ｈ）が在床した状態の荷重すなわち在床荷重として、在床荷重記憶手段（１２ｄ）に記憶する［在床荷重記憶工程］。また、このときの重心位置を在床重心位置として在床重心位置記憶手段（１２ｅ）に記憶する［在床重心位置記憶工程］。次いで、図５に示したステップＳ１１へ進む。
【０１３２】
ステップＳ１１では、４個の荷重検出手段（２、２、２、２）のうちベッド寝床部（２１）の頭側左端部及び頭側右端部にそれぞれ掛かる荷重を検出する２個の荷重検出手段（２、２）の合計出力荷重（Ｗ1＋Ｗ2）（頭側荷重）の時間変化、すなわち合計出力荷重（Ｗ1＋Ｗ2）に対する、所定時間経過後として例えば１０秒後の合計出力荷重（Ｗ1＋Ｗ2）の割合を、荷重変化演算手段（１１ｃ）で演算する［荷重変化演算工程］。そして、この荷重変化演算手段（１１ｃ）で演算された合計出力荷重（Ｗ1＋Ｗ2）（頭側荷重）の時間変化が所定の閾値として例えば０．９倍以下であるか否かを第１判定手段（１３ｃ）で判定する［第１判定工程］。そして、もし、合計出力荷重の時間変化が０．９倍以下であると判定された場合（「ＹＥＳ」の場合）には、ステップＳ１２へ進む。一方、もし、合計出力荷重の時間変化が０．９倍を超えると判定された場合（「ＮＯ」の場合）には、本ステップＳ１１に戻る。ただし本発明では、上記の所定時間は１０秒であることに限定されるものではなく、様々に設定可能であり、また、上記の所定の閾値は０．９倍であることに限定されるものではなく、様々に設定可能である。
【０１３３】
このステップＳ１１では、ベッド寝床部（２１）の在床領域（２３）において被験者（Ｈ）が上体を起こしたか否かを判定できる。すなわち、合計出力荷重（Ｗ1＋Ｗ2）（頭側荷重）の時間変化が０．９倍以下である場合には、ベッド寝床部（２１）の在床領域（２３）において被験者（Ｈ）が上体を起こしたと判定できる。一方、合計出力荷重の時間変化が０．９倍を超えると判定された場合には、被験者（Ｈ）が上体を起こしていないと判定できる。
【０１３４】
ステップＳ１２では、重心位置演算手段（１１ａ）で演算された重心位置がベッド寝床部（２１）の在床領域（２３）内にあるか否かを第２判定手段（１３ｄ）で判定する［第２判定工程］。そして、もし、重心位置が在床領域（２３）内にないと判定された場合（「ＮＯ」の場合）には、ステップＳ１３へ進む。一方、もし、重心位置が在床領域（２３）内にあると判定された場合（「ＹＥＳ」の場合）には、本ステップＳ１２に戻る。
【０１３５】
ステップＳ１３では、重心位置演算手段（１１ａ）で演算された重心位置が、ベッド寝床部（２１）の中央部としての在床領域（２３）からベッド寝床部（２１）の周縁部としての４つの乗降領域（２２、２２、２２、２２）のうちいずれか一つの乗降領域（２２）に移動した際に、ゲート位置記憶手段（１２ａ）に予め設定記憶された４つのゲート（２５、２５、２５、２５）のうち重心位置が横切ったゲート（２５）を、被験者（Ｈ）が離床する際に重心位置が横切った離床ゲートとして、入床ゲート記憶手段（１２ｃ）で記憶された入床ゲートと比較し、離床ゲートが入床ゲートと同じか否かをゲート判定手段（１３ａ）で判定する［ゲート判定工程］。そして、もし、離床ゲートが入床ゲートと同じであると判定された場合（「ＹＥＳ」の場合）、すなわち、ベッド寝床部（２１）における履き物（２８）や車椅子をおいている側に重心位置が移動した場合には、ステップＳ１４へ進み、被験者（Ｈ）が離床行動を開始したと判定（決定）する。次いで、ステップＳ１５及びＳ１６へ順次進む。一方、もし、離床ゲートが入床ゲートと違うと判定された場合（「ＮＯ」の場合）には、図６に示したステップＳ１７へ進む。
【０１３６】
ステップＳ１５では、被験者（Ｈ）の離床に関する情報として、被験者（Ｈ）が離床行動を開始した旨（被験者（Ｈ）が離床行動をもうすぐ開始するであろうと予測した旨を含む。）を、報知手段（１５）で看護師、介護者、監視者等に対して、被験者（Ｈ）の離床行動の開始直後に報知する［報知工程］。例えば、被験者（Ｈ）が離床行動を開始した旨を音声やブザー音等の音でスピーカ（１５ａ）により報知するか、被験者（Ｈ）が離床行動を開始したことを示す光をランプ（１５ｂ）により発することにより報知するか、被験者（Ｈ）が離床行動を開始した旨の文字等を表示手段（１５ｃ）に表示することにより報知する。このような報知に基づいて看護師、介護者等は、被験者（Ｈ）に対して必要な処置を行うことができ、例えば、被験者（Ｈ）の介護に向かうことができる。
【０１３７】
ステップＳ１６では、被験者（Ｈ）の離床に関する情報として、被験者（Ｈ）が離床行動を開始した旨（被験者（Ｈ）が離床行動をもうすぐ開始するであろうと予測した旨を含む。）を、第２通信手段（１６）で被験者（Ｈ）の離床行動の開始直後に遠隔地や携帯電話等へ送信する。これにより、遠隔地にいる人や携帯電話の所有者は、被験者（Ｈ）が離床行動を開始した旨を知ることができる。
【０１３８】
図６に示したステップＳ１７では、４個の荷重検出手段（２、２、２、２）の現在の合計出力荷重（Ｗ1＋Ｗ2＋Ｗ3＋Ｗ4）が在床荷重記憶手段（１２ｄ）で記憶された在床荷重に対して所定の割合以下として例えば０．９倍（即ち９０％）以下であるか否かを、第３判定手段（１３ｅ）で判定する［第３判定工程］。そして、もし、０．９倍以下であると判定された場合（「ＹＥＳ」の場合）には、ステップＳ１８へ進み、被験者（Ｈ）が離床行動中であると判定（決定）する。次いで、ステップＳ１９及びＳ２０へ順次進む。一方、もし、０．９倍を超えると判定された場合（「ＮＯ」の場合）には、本ステップＳ１７に戻る。ただし本発明では、上記の所定割合は０．９倍（即ち９０％）であることに限定されるものではなく、様々に設定可能である。
【０１３９】
このステップＳ１７では、例えば、被験者（Ｈ）が離床するためにベッド設置面（２９）上に足を着いたか否かを判定できる。すなわち、４個の荷重検出手段（２、２、２、２）の現在の合計出力荷重（Ｗ1＋Ｗ2＋Ｗ3＋Ｗ4）が在床荷重に対して０．９倍以下である場合には、被験者（Ｈ）が離床するためにベッド設置面（２９）上に足を着いたと判定でき、詳述すると被験者（Ｈ）がベッド設置面（２９）上に足を着いて更に体重を足に掛けたと判定できる。一方、０．９倍を超えた場合には、被験者（Ｈ）が離床することを目的としないでベッド設置面（２９）上に足を着けずにベッド寝床部（２１）の周縁部としての乗降領域（２２、２２、２２、２２）上に存在していると判定できる。
【０１４０】
ステップＳ１９では、被験者（Ｈ）の離床に関する情報として、被験者（Ｈ）が離床行動中である旨を報知手段（１６）で看護師、介護者、監視者等に対して、被験者（Ｈ）の離床行動中に報知する［報知工程］。例えば、被験者（Ｈ）が離床行動中である旨を音声やブザー音等の音でスピーカ（１５ａ）により報知するか、被験者（Ｈ）が離床行動中であることを示す光をランプ（１５ｂ）により発することにより報知するか、被験者（Ｈ）が離床行動中である旨の文字等を表示手段（１５ｃ）に表示することにより報知する。このような報知に基づいて看護師、介護者等は、被験者（Ｈ）に対して必要な処置を行うことができ、例えば、被験者（Ｈ）の介護に向かうことができる。
【０１４１】
ステップＳ２０では、被験者（Ｈ）の離床に関する情報として、被験者（Ｈ）が離床行動中である旨を、第２通信手段（１６）で被験者（Ｈ）の離床行動中に遠隔地や携帯電話等へ送信する。これにより、遠隔地にいる人や携帯電話の所有者は、被験者（Ｈ）が離床行動中である旨を知ることができる。
【０１４２】
而して、本第１実施形態のベッドの在床状況検出装置（１Ａ）を用いた在床状況検出方法は、以下の利点がある。
【０１４３】
すなわち、ゲート判定工程（Ｓ１３）では、被験者（Ｈ）が離床する際に重心位置が横切った離床ゲートを入床ゲートと比較し、離床ゲートが入床ゲートと同じか否かを判定する。そして、報知工程（Ｓ１５）では、ゲート判定工程（Ｓ１３）の判定結果に基づいて被験者（Ｈ）の離床に関する情報を介護者や監視者等に対して報知する。これにより、被験者（Ｈ）の離床行動を迅速に検出できる。すなわち、報知工程（Ｓ１５）では、ゲート判定工程（Ｓ１３）の判定結果において離床ゲートが入床ゲートと同じであると判定された場合、すなわちベッド寝床部（２１）における履き物（２８）や車椅子をおいている側に重心位置が移動した場合には、被験者（Ｈ）が離床行動を開始したとしてその旨を報知する。こうすることにより、被験者（Ｈ）が離床行動を開始した直後にその旨を報知することができる。
【０１４４】
さらに、この報知は、まず被験者（Ｈ）が在床したことを判定し、次いでベッド寝床部（２１）の在床領域（２３）において被験者（Ｈ）が上体を起こしたことを判定した後で、行われるので、被験者（Ｈ）の離床に関する情報を正確に報知することができる。
【０１４５】
さらに、第３判定工程（Ｓ１７）では、ゲート判定工程（Ｓ１３）の判定結果において離床ゲートが入床ゲートと違うと判定された場合に、４個の荷重検出手段（２、２、２、２）の現在の合計出力荷重（Ｗ1＋Ｗ2＋Ｗ3＋Ｗ4）が在床荷重に対して所定の割合（例えば０．９倍）以下であるか否かを判定する。これにより、被験者（Ｈ）がベッド設置面（２９）上に足を着いたか否か、詳述すると、被験者（Ｈ）がベッド設置面（２９）上に足を着いて更に体重を足に掛けた否かを判定できる。
【０１４６】
そして、報知工程（Ｓ１９）では、第３判定工程（Ｓ１７）の判定結果において在床荷重が所定割合以下であると判定された場合、すなわち被験者（Ｈ）がベッド設置面（２９）上に足を着いたと判定された場合に、被験者（Ｈ）が離床行動中であるとしてその旨を報知する。これにより、被験者（Ｈ）が離床する際に被験者（Ｈ）の重心位置が入床ゲートと違うゲートを横切った場合であっても、被験者（Ｈ）の離床行動中にその旨を報知することができる。
【０１４７】
さらに、この報知は、４個の荷重検出段（２、２、２、２）の現在の合計出力荷重（Ｗ1＋Ｗ2＋Ｗ3＋Ｗ4）が在床荷重に対して所定割合以下であると判定された場合、すなわち被験者（Ｈ）がベッド設置面（２９）上に足を着いたと判定された場合に、行われるので、被験者（Ｈ）が離床行動中である旨を正確に報知することができる。
【０１４８】
さらに、第２通信工程（Ｓ１６、Ｓ２０）では、被験者（Ｈ）の離床に関する情報を遠隔地や携帯電話等に送信するので、遠隔地にいる人や携帯電話の所有者に対して、被験者（Ｈ）の離床に関する情報を知らせることができる。
【０１４９】
さらに、本実施形態のベッドの在床状況検出方法では、被験者（Ｈ）の体重を予め入力する必要がないので、在床状況を検出を容易に行うことができるし、また在床状況検出装置（１Ａ）の構成の簡素化を図ることができる。
【０１５０】
また、本発明の第１実施形態のベッドの在床状況監視システム（３０Ａ）は、上記第１実施形態のベッドの在床状況検出装置（１Ａ）を備えている。したがって、被験者（Ｈ）の在床状況を遠隔地等で確実に監視することができる。
【０１５１】
次に、本発明の第２実施形態について、図７〜図９を参照して上記第１実施形態との相違を中心に以下に説明する。
【０１５２】
本発明の第２実施形態に係るベッドの在床状況演算装置（１Ｂ）では、図７に示すように、演算器（１０）の判定手段（１３）は、ゲート判定手段（１３ａ）と、在床判定手段（１３ｂ）と、第４判定手段（１３ｆ）と、第５判定手段（１３ｇ）と、第６判定手段（１３ｈ）とを備えている。
【０１５３】
ゲート判定手段（１３ａ）は、後述する第４判定手段（１３ｆ）の判定結果において重心位置がベッド寝床部（２１）の在床領域（２３）内にないと判定された場合に、重心位置演算手段（１１ａ）で演算された重心位置が、ベッド寝床部（２１）の中央部としての在床領域（２３）からベッド寝床部（２１）の周縁部としての４つの乗降領域（２２、２２、２２、２２）のうちいずれか一つの乗降領域（２２）に移動した際に、４つのゲート（２５、２５、２５、２５）のうち重心位置が横切ったゲート（２５）を、被験者（Ｈ）が離床する際に重心位置が横切った離床ゲートとして、入床ゲート記憶手段（１２ｃ）で記憶された入床ゲートと比較し、離床ゲートが入床ゲートと同じであるか否かを判定するものである。
【０１５４】
在床判定手段（１３ｂ）は、上記第１実施形態の在床判定手段と同じである。
【０１５５】
第４判定手段（１３ｆ）は、在床判定手段（１３ｂ）の判定結果において被験者（Ｈ）が在床したと判定された場合に、その後、重心位置演算手段（１１ｂ）で演算された重心位置がベッド寝床部（２１）の在床領域（２３）内にあるか否かを判定するものである。
【０１５６】
第５判定手段（１３ｇ）は、荷重変化演算手段（１１ｃ）で演算された合計出力荷重（Ｗ1＋Ｗ2）（頭側荷重）の時間変化が所定の閾値以下であるか否かを判定するものである。本実施形態では、第５判定手段（１３ｇ）は、合計出力荷重（Ｗ1＋Ｗ2）の時間変化が所定の閾値として０．９倍以下であるか否かを判定するものである。詳述すると、第５判定手段（１３ｇ）は、合計出力荷重（Ｗ1＋Ｗ2）に対する、所定時間経過後（例えば１０秒後）の合計出力荷重（Ｗ1＋Ｗ2）の割合が所定の閾値として０．９（即ち９０％）以下であるか否かを判定するものである。なお、この第５判定手段（１３ｇ）で用いられる閾値は、記憶手段（１２）の閾値記憶手段（図示せず）に予め設定記憶されている。
【０１５７】
第６判定手段（１３ｈ）は、ゲート判定手段（１３ａ）の判定結果において離床ゲートが入床ゲートと違うと判定された場合に、４個の荷重検出手段（２、２、２、２）の現在（即ち第６判定手段（１３ｈ）の判定時）の合計出力荷重（Ｗ1＋Ｗ2＋Ｗ3＋Ｗ4）が、在床荷重記憶手段（１２ｄ）で記憶された在床荷重に対して所定の割合以下であるか否かを判定するものである。本実施形態では、第６判定手段（１３ｈ）は、４個の荷重検出手段（２、２、２、２）の現在の合計出力荷重（Ｗ1＋Ｗ2＋Ｗ3＋Ｗ4）が在床荷重に対して、所定の割合として０．９倍以下であるか否かを判定するものである。なお、この第６判定手段（１３ｈ）で用いられる所定割合の値は、記憶手段（１２）の所定の割合記憶手段（図示せず）に予め設定記憶されている。
【０１５８】
本第２実施形態のベッドの在床状況演算装置（１Ｂ）の他の構成は、上記第１実施形態と同じである。
【０１５９】
次に、本第２実施形態のベッドの在床状況検出装置（１Ｂ）を用いた在床状況検出方法について、図４、図８及び図９に示したフローチャートに基づいて以下に説明する。
【０１６０】
本第２実施形態のベッドの在床状況検出方法では、図４に示したステップＳ１からＳ１０までは、上記第１実施形態と同様に行われる。そして、ステップＳ１０を終了後、図８に示したステップＳ３０へ進む。
【０１６１】
ステップＳ３０では、重心位置演算手段（１１ｂ）で演算された重心位置がベッド寝床部（２１）の在床領域（２３）内にあるか否かを第４判定手段（１３ｆ）で判定する［第４判定工程］。そして、もし、重心位置が在床領域（２３）内にないと判定された場合（「ＮＯ」の場合）には、ステップＳ３１へ進む。一方、もし、重心位置が在床領域（２３）内にあると判定された場合（「ＹＥＳ」の場合）には、本ステップ３０に戻る。
【０１６２】
ステップＳ３１では、重心位置演算手段（１１ｂ）で演算された重心位置が、ベッド寝床部（２１）の中央部としての在床領域（２３）からベッド寝床部（２１）の周縁部としての４つの乗降領域（２２、２２、２２、２２）のうちいずれか一つの乗降領域（２２）に移動した際に、ゲート位置記憶手段（１２ａ）に予め設定記憶された４つのゲート（２５、２５、２５、２５）のうち重心位置が横切ったゲート（２５）を、被験者（Ｈ）が離床する際に重心位置が横切った離床ゲートとして、入床ゲート記憶手段（１２ｃ）で記憶された入床ゲートと比較し、離床ゲートが入床ゲートと同じか否かをゲート判定手段（１３ａ）で判定する［ゲート判定工程］。そして、もし、離床ゲートが入床ゲートと同じであると判定された場合（「ＹＥＳ」の場合）、すなわち、ベッド寝床部（２１）における履き物（２８）や車椅子をおいている側に重心位置が移動した場合には、ステップＳ３２へ進む。一方、もし、離床ゲートが入床ゲートと違うと判定された場合（「ＮＯ」の場合）には、図９に示したステップＳ３６へ進む。
【０１６３】
ステップＳ３２では、４個の荷重検出手段（２、２、２、２）のうちベッド寝床部（２１）の頭側左端部及び頭側右端部にそれぞれ掛かる荷重を検出する２個の荷重検出手段（２、２）の合計出力荷重（Ｗ1＋Ｗ2）（頭側荷重）の時間変化、すなわち合計出力荷重（Ｗ1＋Ｗ2）に対する、所定時間経過後として例えば１０秒後の合計出力荷重（Ｗ1＋Ｗ2）の割合を、荷重変化演算手段（１１ｃ）で演算する［荷重変化演算工程］。そして、この荷重変化演算手段（１１ｃ）で演算された合計出力荷重（Ｗ1＋Ｗ2）（頭側荷重）の時間変化が所定の閾値として例えば０．９倍以下であるか否かを第５判定手段（１３ｇ）で判定する［第５判定工程］。そして、もし、合計出力荷重の時間変化が０．９倍以下であると判定された場合（「ＹＥＳ」の場合）には、ステップＳ３３へ進み、被験者（Ｈ）が離床行動を開始したと判定（決定）する。次いで、ステップＳ３４及びＳ３５へ順次進む。一方、もし、合計出力荷重の時間変化が０．９倍を超えると判定された場合（「ＮＯ」の場合）には、本ステップＳ３２に戻る。ただし本発明では、上記の所定時間は１０秒であることに限定されるものではなく、様々に設定可能であり、また、上記の所定の閾値は０．９倍であることに限定されるものではなく、様々に設定可能である。
【０１６４】
このステップＳ３２では、ベッド寝床部（２１）の乗降領域（２２、２２、２２、２２）において被験者（Ｈ）が上体を起こしたか否かを判定できる。すなわち、合計出力荷重（Ｗ1＋Ｗ2）（頭側荷重）の時間変化が０．９倍以下である場合には、ベッド寝床部（２１）の周縁部としての乗降領域（２２、２２、２２、２２）において被験者（Ｈ）が上体を起こしたと判定できる。一方、合計出力荷重の時間変化が０．９倍を超えると判定された場合には、被験者（Ｈ）が上体を起こしていないと判定できる。
【０１６５】
ステップＳ３４では、被験者（Ｈ）の離床に関する情報として、被験者（Ｈ）が離床行動を開始した旨（被験者（Ｈ）が離床行動をもうすぐ開始するであろうと予測した旨を含む。）を、報知手段（１５）で看護師、介護者、監視者等に対して、被験者（Ｈ）の離床行動の開始直後に報知する［報知工程］。例えば、被験者（Ｈ）が離床行動を開始した旨を音声やブザー音等の音でスピーカ（１５ａ）により報知するか、被験者（Ｈ）が離床行動を開始したことを示す光をランプ（１５ｂ）により発することにより報知するか、被験者（Ｈ）が離床行動を開始した旨の文字等を表示手段（１５ｃ）に表示することにより報知する。このような報知に基づいて看護師、介護者等は、被験者（Ｈ）に対して必要な処置を行うことができ、例えば、被験者（Ｈ）の介護に向かうことができる。
【０１６６】
ステップＳ３５では、被験者（Ｈ）の離床に関する情報として、被験者（Ｈ）が離床行動を開始した旨（被験者（Ｈ）が離床行動をもうすぐ開始するであろうと予測した旨を含む。）を、第２通信手段（１６）で被験者（Ｈ）の離床行動の開始直後に遠隔地や携帯電話等へ送信する。これにより、遠隔地にいる人や携帯電話の所有者は、被験者（Ｈ）が離床行動を開始した旨を知ることができる。
【０１６７】
図９に示したステップＳ３６では、４個の荷重検出手段（２、２、２、２）の現在の合計出力荷重（Ｗ1＋Ｗ2＋Ｗ3＋ｗ4）が在床荷重記憶手段（１２ｄ）で記憶された在床荷重に対して所定の割合以下として例えば０．９倍（即ち９０％）以下であるか否かを、第６判定手段（１３ｈ）で判定する［第６判定工程］。そして、もし、０．９倍以下であると判定された場合（「ＹＥＳ」の場合）には、ステップＳ３７へ進み、被験者（Ｈ）が離床行動中であると判定（決定）する、次いで、ステップＳ３８及びＳ３９へ順次進む。一方、もし、０．９倍を超えると判定された場合（「ＮＯ」の場合）には、本ステップＳ３６に戻る。ただし本発明では、上記の所定割合は０．９倍（即ち９０％）であることに限定されるものではなく、様々に設定可能である。
【０１６８】
このステップＳ３６では、例えば、被験者（Ｈ）が離床するためにベッド設置面（２９）上に足を着いたか否かを判定できる。すなわち、４個の荷重検出手段（２、２、２、２）の現在の合計出力荷重（Ｗ1＋Ｗ2＋Ｗ3＋Ｗ4）が在床荷重に対して０．９倍以下である場合には、被験者（Ｈ）が離床するためにベッド設置面（２９）上に足を着いたと判定でき、詳述すると被験者（Ｈ）がベッド設置面（２９）上に足を着いて更に体重を足に掛けたと判定できる。一方、０．９倍を超えた場合には、被験者（Ｈ）が離床することを目的としないでベッド設置面（２９）上に足を着けずにベッド寝床部（２１）の周縁部としての乗降領域（２２、２２、２２、２２）上に存在していると判定できる。
【０１６９】
ステップＳ３８では、被験者（Ｈ）の離床に関する情報として、被験者（Ｈ）が離床行動中である旨を報知手段（１６）で看護師、介護者、監視者等に対して、被験者（Ｈ）の離床行動中に報知する［報知工程］。例えば、被験者（Ｈ）が離床行動中である旨を音声やブザー音等の音でスピーカ（１５ａ）により報知するか、被験者（Ｈ）が離床行動中であることを示す光をランプ（１５ｂ）により発することにより報知するか、被験者（Ｈ）が離床行動中である旨の文字等を表示手段（１５ｃ）に表示することにより報知する。このような報知に基づいて看護師、介護者等は、被験者（Ｈ）に対して必要な処置を行うことができ、例えば、被験者（Ｈ）の介護に向かうことができる。
【０１７０】
ステップＳ３９では、被験者（Ｈ）の離床に関する情報として、被験者（Ｈ）が離床行動中である旨を、第２通信手段（１６）で被験者（Ｈ）の離床行動中に遠隔地や携帯電話等へ送信する。これにより、遠隔地にいる人や携帯電話の所有者は、被験者（Ｈ）が離床行動中である旨を知ることができる。
【０１７１】
而して、本第２実施形態のベッドの在床状況検出装置（１Ｂ）を用いた在床状況検出方法は、以下の利点がある。
【０１７２】
すなわち、ゲート判定手段（Ｓ３１）では、被験者（Ｈ）が離床する際に重心位置が横切った離床ゲートを入床ゲートと比較し、離床ゲートが入床ゲートと同じか否かを判定する。そして、報知工程（Ｓ３４）では、ゲート判定工程（Ｓ３１）の判定結果に基づいて被験者の離床に関する情報を介護者や監視者等に対して報知する。
【０１７３】
この報知は、重心位置が在床領域（２３）内にないと判定された場合に行われるので、被験者（Ｈ）の離床に関する情報を正確に報知することができる。
【０１７４】
さらに、荷重変化演算工程と第５判定工程（いずれもＳ３２）では、ゲート判定工程（Ｓ３１）の判定結果において離床ゲートが入床ゲートと同じであると判定された場合、すなわちベッド寝床部（２１）における履き物（２８）や車椅子をおいている側に重心位置が移動した場合に、４個の荷重検出手段（２、２、２、２）のうちベッド寝床部（２１）の頭側左端部及び頭側右端部にそれぞれ掛かる荷重を検出する２個の荷重検出手段（２、２）の合計出力荷重（Ｗ1＋Ｗ2）の時間変化が所定の閾値（例えば０．９倍）以下であるか否かを判定する。これにより、ベッド寝床部（２１）の周縁部としての乗降領域（２２）において被験者（Ｈ）が上体を起こしたか否かを判定できる。
【０１７５】
そして、報知工程（Ｓ３４）では、第５判定工程（Ｓ３２）の判定結果において合計出力荷重（Ｗ1＋Ｗ2）の時間変化が所定の閾値（例えば０．９倍）以下であると判定された場合、すなわちベッド寝床部（２１）の周縁部としての乗降領域（２２、２２、２２、２２）において被験者（Ｈ）が上体を起こしたと判定された場合に、被験者（Ｈ）が離床行動を開始したとしてその旨を報知する。こうすることにより、被験者（Ｈ）が離床行動を開始した直後にその旨を報知することができる。
【０１７６】
さらに、この報知は、ベッド寝床部（２１）の周縁部としての乗降領域（２２、２２、２２、２２）において被験者（Ｈ）が上体を起こしたと判定した後で、行われるので、被験者（Ｈ）が離床行動を開始した旨を正確に報知することができる。
【０１７７】
さらに、第６判定工程（Ｓ３６）では、ゲート判定工程（Ｓ３１）の判定結果において離床ゲートが入床ゲートと違うと判定された場合に、４個の荷重検出手段（２、２、２、２）の現在の合計出力荷重（Ｗ1＋Ｗ2＋Ｗ3＋Ｗ4）が在床荷重に対して所定の割合（例えば０．９倍）以下であるか否かを判定する。これにより、被験者（Ｈ）がベッド設置面（２９）上に足を着いたか否か、詳述すると、被験者（Ｈ）がベッド設置面（２９）上に足を着いて更に体重を足に掛けたか否かを判定できる。
【０１７８】
そして、報知工程（Ｓ３８）では、第６判定工程（Ｓ３６）の判定結果において在床荷重が所定割合以下であると判定された場合、すなわち被験者（Ｈ）がベッド設置面（２９）上に足を着いたと判定された場合に、被験者（Ｈ）が離床行動中であるとしてその旨を報知する。これにより、被験者（Ｈ）が離床する際に被験者（Ｈ）の重心位置が入床ゲートと違うゲートを横切った場合であっても、被験者（Ｈ）の離床行動中にその旨を報知することができる。
【０１７９】
さらに、この報知は、４個の荷重検出段（２、２、２、２）の現在の合計出力荷重（Ｗ1＋Ｗ2＋Ｗ3＋Ｗ4）が在床荷重に対して所定割合以下であると判定された場合、すなわち被験者（Ｈ）がベッド設置面（２９）上に足を着いたと判定された場合に、行われるので、被験者（Ｈ）が離床行動中である旨を正確に報知することができる。
【０１８０】
さらに、第２通信工程（Ｓ３５、Ｓ３９）では、被験者（Ｈ）の離床に関する情報を遠隔地や携帯電話等に送信するので、遠隔地にいる人や携帯電話の所有者に対して、被験者（Ｈ）の離床に関する情報を知らせることができる。
【０１８１】
さらに、本実施形態のベッドの在床状況検出方法では、被験者（Ｈ）の体重を予め入力する必要がないので、在床状況の検出を容易に行うことができるし、また在床状況検出装置（１Ｂ）の構成の簡素化を図ることができる。
【０１８２】
また、本発明の第２実施形態のベッドの在床状況監視システム（３０Ｂ）は、上記第２実施形態のベッドの在床状況検出装置（１Ｂ）を備えている。したがって、被験者（Ｈ）の在床状況を遠隔地等で確実に監視することができる。
【０１８３】
以上で本発明の幾つかの実施形態について説明しかが、本発明では上記実施形態に示したものに限定されるものではなく、様々に設定変更可能である。
【０１８４】
例えば、上記実施形態では、ベッド寝床部（２１）の周縁部は４つの乗降領域（２２）に区画されており、すなわち、乗降領域（２２）の数は、ベッド寝床部（２１）の頭側左縁部の乗降領域（２２）と、足側左縁部の乗降領域（２２）と、頭側右縁部の乗降領域（２２）と、足側右縁部の乗降領域（２２）との合計４つであるが、本発明では、ベッド寝床部（２１）の左縁部の乗降領域（２２）とベッド寝床部（２１）の右縁部の乗降領域（２２）との合計２つであっても良い。さらに、乗降領域（２２）の数は、２つや４つ以外の複数であっても良い。
【０１８５】
また、本実施形態では、ゲート（２５）の数は４つであるが、本発明では、ベッド寝床部（２１）の左縁部と中央部との間に一つのゲート（２５）がゲート位置記憶手段（１２ａ）に設定記憶されるとともに、ベッド寝床部（２１）の右縁部と中央部との間にもう一つのゲート（２５）がゲート位置記憶手段（１２）に設定記憶されていても良い。さらに、ゲート（２５）の数は、２つや４つ以外の複数であっても良い。
【産業上の利用可能性】
【０１８６】
本発明は、例えば、ベッドの寝床部上の被験者の離床、入床、重心位置等の在床状況を検出するベッドの在床状況検出方法、該検出方法に用いられるベッドの在床状況検出装置、及び該検出装置を用いたベッドの在床状況監視システムに利用可能である。
【符号の説明】
【０１８７】
１Ａ、１Ｂ…ベッドの在床状況検出装置
２…荷重検出手段
３…制御手段
４…第１通信手段
１０…演算器
１１…演算手段
１１ａ…荷重演算手段
１１ｂ…重心位置演算手段
１１ｃ…荷重変化演算手段
１２…記憶手段
１２ａ…ゲート位置記憶手段
１２ｂ…重心位置記憶手段
１２ｃ…入床ゲート記憶手段
１２ｄ…在床荷重記憶手段
１２ｆ…在床領域記憶手段
１２ｇ…乗降領域記憶手段
１３…判定手段
１３ａ…ゲート判定手段
１３ｂ…在床判定手段
１３ｃ…第１判定手段
１３ｄ…第２判定手段
１３ｅ…第３判定手段
１３ｆ…第４判定手段
１３ｇ…第５判定手段
１３ｈ…第６判定手段
１５…報知手段
１６…第２通信手段
２０…ベッド
２１…寝床部
２２…乗降領域
２３…在床領域
２５…ゲート
２７…転落防止柵
２８…履き物
２９…ベッド設置面
３０Ａ、３０Ｂ…ベッドの在床状況監視システム
Ｈ…被験者
【図１】
2011189137.tif 000003
【図２】
2011189137.tif 000004
【図３】
2011189137.tif 000005
【図４】
2011189137.tif 000006
【図５】
2011189137.tif 000007
【図６】
2011189137.tif 000008
【図７】
2011189137.tif 000009
【図８】
2011189137.tif 000010
【図９】
2011189137.tif 000011